(57)【要約】【課題】発電装置の起動時において燃焼触媒の温度を適切に制御する。【解決手段】発電装置は、燃料電池と、燃料電池の排気に含まれる未燃ガスを燃焼させる燃焼触媒と、燃焼触媒に流入する排気を加熱する燃焼触媒ヒータと、制御部と、を備える。制御部は、発電装置の起動時に燃焼触媒ヒータをオンし、燃焼触媒付近の温度が第１の所定温度以上である状態が所定時間継続すると、燃焼触媒ヒータをオフする。【選択図】図１
2019009069.tif 000002
【特許請求の範囲】
【請求項１】
燃料電池と、
前記燃料電池の排気に含まれる未燃ガスを燃焼させる燃焼触媒と、
前記燃焼触媒に流入する前記排気を加熱する燃焼触媒ヒータと、
制御部と、を備える発電装置であって、
前記制御部は、
前記発電装置の起動時に前記燃焼触媒ヒータをオンし、
前記燃焼触媒付近の温度が第１の所定温度以上である状態が所定時間継続すると、前記燃焼触媒ヒータをオフする、発電装置。
【請求項２】
請求項１に記載の発電装置において、
前記所定時間は、前記燃焼触媒付近の温度が前記第１の所定温度以上である状態が該所定時間継続した後は、前記燃焼触媒ヒータをオフしても、前記燃焼触媒付近の温度が前記第１の所定温度を下回らなくなる時間である、発電装置。
【請求項３】
請求項１に記載の発電装置において、
前記制御部は、前記燃焼触媒付近の温度が第１の所定温度以上である状態が所定時間継続して前記燃焼触媒ヒータをオフした後、前記燃焼触媒付近の温度が前記第１の所定温度よりも低い第２の所定温度以下になると、前記燃焼触媒ヒータをオンする、発電装置。
【請求項４】
請求項３に記載の発電装置において、
前記第２の所定温度は、前記燃焼触媒付近の温度が該第２の所定温度以下になると、前記燃焼触媒が未燃ガスを燃焼させることができなくなる温度である、発電装置。
【請求項５】
燃料電池と、前記燃料電池の排気に含まれる未燃ガスを燃焼させる燃焼触媒と、前記燃焼触媒に流入する前記排気を加熱する燃焼触媒ヒータと、を備える発電装置を制御する制御装置であって、
前記発電装置の起動時に前記燃焼触媒ヒータをオンし、
前記燃焼触媒付近の温度が第１の所定温度以上である状態が所定時間継続すると、前記燃焼触媒ヒータをオフする、制御装置。
【請求項６】
燃料電池と、前記燃料電池の排気に含まれる未燃ガスを燃焼させる燃焼触媒と、前記燃焼触媒に流入する前記排気を加熱する燃焼触媒ヒータと、を備える発電装置を制御する制御装置に、
前記発電装置の起動時に前記燃焼触媒ヒータをオンするステップと、
前記燃焼触媒付近の温度が第１の所定温度以上である状態が所定時間継続すると、前記燃焼触媒ヒータをオフするステップと、を実行させる制御プログラム。
【発明の詳細な説明】
【技術分野】
【０００１】
本開示は、発電装置、制御装置及び制御プログラムに関する。
【背景技術】
【０００２】
固体酸化物形燃料電池（Solid Oxide Fuel Cell（以下、ＳＯＦＣと記す））等のような燃料電池を備える発電装置には、燃焼触媒を備えるものがある（例えば、特許文献１）。
【０００３】
燃焼触媒は、セルスタックの発電により生じる排気に含まれる未燃ガスを燃焼させることができる。
【先行技術文献】
【特許文献】
【０００４】
【特許文献１】特開２０１６−１５７５７１号公報
【発明の概要】
【発明が解決しようとする課題】
【０００５】
燃焼触媒が正常に未燃ガスを燃焼するためには、燃焼触媒を所定の温度以上に保つ必要がある。従来、発電装置の起動時における燃焼触媒の温度制御には改善の余地があった。
【０００６】
本開示の目的は、発電装置の起動時において燃焼触媒の温度を適切に制御することができる発電装置、制御装置及び制御プログラムを提供することにある。
【課題を解決するための手段】
【０００７】
本開示の一実施形態に係る発電装置は、燃料電池と、前記燃料電池の排気に含まれる未燃ガスを燃焼させる燃焼触媒と、前記燃焼触媒に流入する前記排気を加熱する燃焼触媒ヒータと、制御部と、を備える。前記制御部は、前記発電装置の起動時に前記燃焼触媒ヒータをオンし、前記燃焼触媒付近の温度が第１の所定温度以上である状態が所定時間継続すると、前記燃焼触媒ヒータをオフする。
【０００８】
本開示の一実施形態に係る制御装置は、燃料電池と、前記燃料電池の排気に含まれる未燃ガスを燃焼させる燃焼触媒と、前記燃焼触媒に流入する前記排気を加熱する燃焼触媒ヒータと、を備える発電装置を制御する。前記制御装置は、前記発電装置の起動時に前記燃焼触媒ヒータをオンし、前記燃焼触媒付近の温度が第１の所定温度以上である状態が所定時間継続すると、前記燃焼触媒ヒータをオフする。
【０００９】
本開示の一実施形態に係る制御プログラムは、燃料電池と、前記燃料電池の排気に含まれる未燃ガスを燃焼させる燃焼触媒と、前記燃焼触媒に流入する前記排気を加熱する燃焼触媒ヒータと、を備える発電装置を制御する制御装置のための制御プログラムである。前記制御プログラムは、前記制御装置に、前記発電装置の起動時に前記燃焼触媒ヒータをオンするステップと、前記燃焼触媒付近の温度が第１の所定温度以上である状態が所定時間継続すると、前記燃焼触媒ヒータをオフするステップと、を実行させる。
【発明の効果】
【００１０】
本開示の一実施形態に係る発電装置、制御装置及び制御プログラムによれば、発電装置の起動時において燃焼触媒の温度を適切に制御することができる。
【図面の簡単な説明】
【００１１】
【図１】本開示の実施形態に係る発電装置の構成を概略的に示す機能ブロック図である。
【図２】発電装置の起動時における燃焼触媒の出口付近の温度の時間依存の一例を示す図である。
【図３】本開示の実施形態に係る発電装置の動作の一例を示すフローチャートである。
【図４】本開示の実施形態に係る発電装置の構成の変形例を概略的に示す機能ブロック図である。
【発明を実施するための形態】
【００１２】
以下、本開示の実施形態について、図面を参照して説明する。まず、本開示の実施形態に係る発電装置の構成を説明する。
【００１３】
図１は、本開示の実施形態に係る発電装置１の構成を概略的に示す機能ブロック図である。
【００１４】
図１に示すように、本開示の実施形態に係る発電装置１は、貯湯タンク６０と、負荷１００と、商用電源（grid）２００とに接続される。また、図１に示すように、発電装置１は、外部からガス、水、及び空気が供給されることにより発電し、発電した電力を負荷１００等に供給する。
【００１５】
図１に示すように、発電装置１は、制御部１０と、記憶部１２と、燃料電池モジュール２０と、ガス供給部３２と、改質水供給部３４と、酸素含有ガスとしての空気を供給する空気供給部３６と、インバータ４０と、燃焼触媒４２と、燃焼触媒ヒータ４４と、排熱回収処理部５０と、循環水処理部５２と、温度センサ７０とを備える。
【００１６】
発電装置１は、以下にさらに詳細に述べられるように、種々の機能を実行するための制御及び処理能力を提供するために、制御部１０として少なくとも１つのプロセッサを含む。種々の実施形態によれば、少なくとも１つのプロセッサは、単一の集積回路（ＩＣ）として、又は複数の通信可能に接続された集積回路ＩＣ及び／又はディスクリート回路（discrete circuits）として実現されてもよい。少なくとも１つのプロセッサは、種々の既知の技術に従って実現されることが可能である。
【００１７】
ある実施形態において、プロセッサは、１以上のデータ計算手続又は処理を実行するために構成された、１以上の回路又はユニットを含む。例えば、プロセッサは、１以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、又はこれらのデバイス若しくは構成の任意の組み合わせ、又は他の既知のデバイス若しくは構成の組み合わせを含むことにより、以下に説明する機能を実行してもよい。
【００１８】
制御部１０は、記憶部１２と、燃料電池モジュール２０と、ガス供給部３２と、改質水供給部３４と、空気供給部３６と、インバータ４０と、燃焼触媒ヒータ４４とに接続され、これらの各機能部をはじめとして発電装置１の全体を制御及び管理する。制御部１０は、記憶部１２に記憶されているプログラムを取得して、このプログラムを実行することにより、発電装置１の各部に係る種々の機能を実現する。制御部１０から他の機能部に制御信号又は各種の情報などを送信する場合、制御部１０と他の機能部とは、有線又は無線により接続されていればよい。制御部１０が行う本実施形態に特徴的な制御については、さらに後述する。
【００１９】
記憶部１２は、制御部１０から取得した情報を記憶する。また記憶部１２は、制御部１０によって実行されるプログラム等を記憶する。その他、記憶部１２は、例えば制御部１０による演算結果などの各種データも記憶する。さらに、記憶部１２は、制御部１０が動作する際のワークメモリ等も含むことができるものとして、以下説明する。記憶部１２は、例えば半導体メモリ又は磁気ディスク等により構成することができるが、これらに限定されず、任意の記憶装置とすることができる。例えば、記憶部１２は、光ディスクのような光学記憶装置としてもよいし、光磁気ディスクなどとしてもよい。
【００２０】
燃料電池モジュール２０は、改質器２２と、セルスタック２４と、着火ヒータ２６とを備えている。燃料電池モジュール２０のセルスタック２４は、改質器２２から供給される水素、及び空気供給部３６から供給される酸素含有ガスである空気を用いて発電する。燃料電池モジュール２０内で発電した直流電力は、インバータ４０に出力される。燃料電池モジュール２０は、ホットモジュールとも呼ばれる。燃料電池モジュール２０において、セルスタック２４は、発電に伴い発熱する。本開示において、実際に発電を行うセルスタック２４を、適宜、「燃料電池」と記す。また、本開示において、セルスタック２４を含めた任意の機能部も、適宜、「燃料電池」と総称することがある。例えば、「燃料電池」としては、他に、単体のセル、又は燃料電池モジュールなどが挙げられる。
【００２１】
改質器２２は、ガス供給部３２から供給されるガス、及び、改質水供給部３４から供給される改質水を用いて、水素及び／又は一酸化炭素を生成する。例えば、改質器２２は、改質水供給部３４から供給される改質水を用いて水蒸気を生成する。さらに、改質器２２は、生成した水蒸気を用いた水蒸気改質により、ガス供給部３２から供給されるガスを用いて、水素及び／又は一酸化炭素を生成する。セルスタック２４は、改質器２２で生成された水素及び／又は一酸化炭素と、空気中の酸素とを反応させることにより、発電する。すなわち、本実施形態において、燃料電池のセルスタック２４は、電気化学反応により発電する。
【００２２】
着火ヒータ２６は、発電装置１の起動時などにおいて、セルスタック２４及びセルスタック２４の周辺を加熱する。着火ヒータ２６がオンになり、ガス供給部３２からのガスの供給が開始されると、セルスタック２４の上方においてガスが燃焼する部分（以下、「燃焼部」）が着火する。着火ヒータ２６は、前記燃焼部の着火後、所定の条件を満たすと、制御部１０からの制御信号に基づいてオフされる。
【００２３】
以下、セルスタック２４は、ＳＯＦＣ（固体酸化物型燃料電池）であるとして説明する。しかしながら、本実施形態に係るセルスタック２４はＳＯＦＣに限定されない。本実施形態に係るセルスタック２４は、例えば固体高分子形燃料電池（Polymer Electrolyte Fuel Cell（ＰＥＦＣ））、リン酸形燃料電池（Phosphoric Acid Fuel Cell（ＰＡＦＣ））、及び溶融炭酸塩形燃料電池（Molten Carbonate Fuel Cell（ＭＣＦＣ））などのような燃料電池で構成してもよい。なお、セルスタック２４が例えばＰＥＦＣ等、ＳＯＦＣと異なるタイプの場合、セルスタック２４は、改質器２２と同じ筺体内に含まれなくてもよく、前述したような燃料電池モジュール２０を有していなくてもよい。また、セルスタック２４が例えばＰＥＦＣ等、ＳＯＦＣと異なるタイプの場合、セルスタック２４と改質器２２が同じ筺体内であっても近傍に位置しなくてもよい。また、本実施形態において、セルスタック２４は、例えば単体で７００Ｗ程度の発電ができるものを４つ備えてもよい。この場合、燃料電池モジュール２０は、全体として３ｋＷ程度の電力を出力することができる。しかしながら、本実施形態に係るセルスタック２４及び燃料電池モジュール２０は、このような構成に限定されるものではなく、種々の構成を採用することができる。例えば、本実施形態に係る燃料電池モジュール２０は、セルスタック２４を１つのみ備えるようにしてもよい。本実施形態において、発電装置１は、ガスを利用して発電を行う燃料電池を備えていればよい。したがって、例えば、発電装置１は、燃料電池として、セルスタック２４ではなく、単に燃料電池セル１つのみを備えるものも想定できる。また、本実施形態に係る燃料電池は、例えばＰＥＦＣのように、モジュールのない燃料電池としてもよい。
【００２４】
ガス供給部３２は、燃料電池モジュール２０の改質器２２にガスを供給する。このとき、ガス供給部３２は、制御部１０からの制御信号に基づいて、改質器２２に供給するガスの流量を制御する。本実施形態において、ガス供給部３２は、例えばガスラインによって構成することができる。またガス供給部３２は、ガスの脱硫処理を行ってもよいし、ガスを予備的に加熱してもよい。ガスを加熱する熱源として、セルスタック２４の排熱が利用されてもよい。ガスは、例えば、都市ガス、又はＬＰＧ等であるが、これらに限定されない。例えば、ガスは、燃料電池に応じて、天然ガス又は石炭ガスなどとしてもよい。本実施形態において、ガス供給部３２は、セルスタック２４が発電する際の電気化学反応に用いられる燃料ガスを供給する。
【００２５】
改質水供給部３４は、燃料電池モジュール２０の改質器２２に改質水を供給する。このとき、改質水供給部３４は、制御部１０からの制御信号に基づいて、改質器２２に供給する改質水の流量を制御する。本実施形態において、改質水供給部３４は、例えば改質水ラインによって構成することができる。改質水供給部３４は、セルスタック２４の排気から回収された水を原料として改質水を生成してもよい。
【００２６】
空気供給部３６は、燃料電池モジュール２０のセルスタック２４に空気を供給する。このとき、空気供給部３６は、制御部１０からの制御信号に基づいて、セルスタック２４に供給する空気の流量を制御する。本実施形態において、空気供給部３６は、例えば空気ラインによって構成することができる。また空気供給部３６は、外部から取り込んだ空気を予備的に加熱して、セルスタック２４に供給してもよい。空気を加熱する熱源として、セルスタック２４の排熱が利用されてもよい。本実施形態において、空気供給部３６は、セルスタック２４が発電する際の電気化学反応に用いられる空気を供給する。空気供給部３６が供給する気体は空気に限定されず、水素等の燃料ガスと反応して発電できる気体であればよい。例えば、空気供給部３６は、酸素を含有する空気以外の気体を供給してもよい。
【００２７】
インバータ４０は、燃料電池モジュール２０内のセルスタック２４に電気的に接続される。インバータ４０は、セルスタック２４が発電した直流電力を、交流電力に変換する。インバータ４０から出力される交流電力は、分電盤などを介して、負荷１００に供給される。負荷１００は、分電盤などを介して、インバータ４０から出力された電力を受電する。図１において、負荷１００は、１つのみの部材として図示してあるが、負荷を構成する任意の個数の各種電気機器とすることができる。また、負荷１００は、分電盤などを介して、商用電源２００から受電することもできる。
【００２８】
燃焼触媒４２は、セルスタック２４の発電により生じる排気に含まれる未燃ガスを燃焼させる。燃焼触媒４２は、例えば、未燃ガスである一酸化炭素を燃焼させて、二酸化炭素にする。燃焼触媒４２は、所定の温度以上であるときに、未燃ガスを燃焼させることができる。燃焼触媒４２は、例えばハニカム構造に貴金属触媒が塗布されたハニカム触媒を含んでもよい。貴金属触媒は、例えば白金及びパラジウム等を含んでもよい。
【００２９】
燃焼触媒ヒータ４４は、セルスタック２４から燃焼触媒４２に流入する排気を加熱することで、加熱された排気により燃焼触媒４２を活性温度に昇温している。発電装置１の起動時の初期は、セルスタック２４から燃焼触媒４２に流入する排気の温度が低いため、制御部１０は、発電装置１の起動時に燃焼触媒ヒータ４４をオンする。燃焼触媒ヒータ４４がオンすることにより、燃焼触媒４２に流入する排気の温度が上昇し、これにより、燃焼触媒４２の温度も上昇する。燃焼触媒４２の温度が所定の温度以上になると、燃焼触媒４２は、セルスタック２４からの排気に含まれる未燃ガスを燃焼させることができる。制御部１０による燃焼触媒ヒータ４４の制御の詳細については後述する。なお、セルスタック２４から燃焼触媒４２に流入する排気を加熱するものとして燃焼触媒ヒータ４４を具体例として挙げているが、本実施形態ではこれに限定されない。セルスタック２４から燃焼触媒４２に流入する排気を加熱することができるものであれば、燃焼触媒ヒータ４４以外の装置で加熱してもよい。
【００３０】
排熱回収処理部５０は、セルスタック２４の発電により生じる排気から排熱を回収する。排熱回収処理部５０は、例えば熱交換器等で構成することができる。排熱回収処理部５０は、循環水処理部５２及び貯湯タンク６０に接続される。
【００３１】
循環水処理部５２は、貯湯タンク６０から排熱回収処理部５０へ水を循環させる。排熱回収処理部５０に供給された水は、排熱回収処理部５０で回収された排熱によって加熱され、貯湯タンク６０に戻る。排熱回収処理部５０は、排熱を回収した排気を外部に排出する。
【００３２】
貯湯タンク６０は、排熱回収処理部５０及び循環水処理部５２に接続される。貯湯タンク６０は、燃料電池モジュール２０のセルスタック２４などから回収された排熱を利用して生成された湯を、貯えることができる。
【００３３】
温度センサ７０は、燃焼触媒４２付近に設置され、燃焼触媒４２付近の温度を検出する。燃焼触媒４２付近とは、例えば、燃焼触媒４２を排気が通過し終わった付近の場所、あるいは、燃焼触媒４２をガスが通過しきる直前付近の場所等が挙げられる。
【００３４】
次に、制御部１０の動作について説明する。
【００３５】
制御部１０は、発電装置１の起動時に、燃焼触媒ヒータ４４をオンさせる。燃焼触媒ヒータ４４がオンすると、燃焼触媒ヒータ４４は、燃焼触媒４２に流入する排気を加熱する。そうすると、加熱された排気が燃焼触媒４２に流入することで、燃焼触媒４２の温度が上昇する。燃焼触媒４２の温度が所定の温度以上になると、燃焼触媒４２は、セルスタック２４からの排気に含まれる未燃ガスを燃焼させることができる。
【００３６】
制御部１０は、セルスタック２４が着火してセルスタック２４から燃焼触媒４２に流入する排気の温度が十分に高くなると、燃焼触媒ヒータ４４をオフさせる。これは、燃焼触媒４２に流入する排気の温度が十分に高くなると、燃焼触媒ヒータ４４がオンしていなくても、燃焼触媒４２の温度を所定の温度以上に維持できるからである。このように、燃焼触媒４２の温度を所定の温度以上に維持できる状態になったら燃焼触媒ヒータ４４をオフさせることにより、制御部１０は、消費電力を低減することができる。
【００３７】
制御部１０は、温度センサ７０から燃焼触媒４２付近の温度を取得する。制御部１０は、発電装置１の起動時に燃焼触媒ヒータ４４をオンさせている状態で、燃焼触媒４２付近の温度が第１の所定温度以上である状態が所定時間継続すると、燃焼触媒ヒータ４４をオフさせる。ここで、第１の所定温度は、燃焼触媒４２が未燃ガスを燃焼させるために必要な温度である第２の所定温度（例えば、２００℃）よりも高い温度である。第１の所定温度は、例えば、２３０℃である。
【００３８】
図２に、発電装置１の起動時における燃焼触媒４２付近の温度の時間依存の一例を示す。図２は、燃焼触媒ヒータ４４をオンにした状態における、燃焼触媒４２付近の温度の時間依存を示したものである。
【００３９】
図２に示すグラフは、縦軸が燃焼触媒４２付近の温度を示す。Ｔ１は第１の所定温度であり、Ｔ２は第２の所定温度である。図２に示す例においては、時刻ｔ１において燃焼触媒４２付近の温度は、第１の所定温度Ｔ１を上回るが、時刻ｔ２において第１の所定温度Ｔ１を下回る。発電装置１の起動時の初期においては、セルスタック２４から冷たい排気が流入することにより、燃焼触媒ヒータ４４がオンしていても、燃焼触媒４２付近の温度が、一時的に下がることが起こり得る。このような状態においては、図２に示すように、燃焼触媒４２付近の温度は、一旦、第１の所定温度Ｔ１を上回っても、その後、第１の所定温度Ｔ１を下回ることがある。
【００４０】
発電装置１の起動処理を開始してしばらくすると、セルスタック２４が着火し、セルスタック２４から高温の排気が燃焼触媒４２に流入するようになる。こうなると、燃焼触媒ヒータ４４をオフしても、燃焼触媒４２付近の温度が第１の所定温度Ｔ１を下回らなくなる。制御部１０は、燃焼触媒４２付近の温度が第１の所定温度Ｔ１以上である時間が所定時間（例えば、図２のｔ３からｔ４の時間）継続すると、燃焼触媒ヒータ４４をオフする。所定時間は、燃焼触媒４２付近の温度が第１の所定温度Ｔ１以上である時間が所定時間継続すると、燃焼触媒ヒータ４４をオフしても、燃焼触媒４２付近の温度が第１の所定温度Ｔ１を下回らなくなる時間として、実験結果などに基づいて予め記憶部１２に記憶しておけばよい。所定時間は、例えば５分である。
【００４１】
また、燃焼触媒４２が未燃ガスを確実に燃焼させるためには燃焼触媒４２付近の温度が第２の所定温度Ｔ２である必要がある。そのため、制御部１０は、燃焼触媒４２付近の温度が第２の所定温度Ｔ２以下になると、燃焼触媒ヒータ４４をオンさせる。
【００４２】
続いて、本実施形態に係る発電装置１の動作の一例について図３のフローチャートを参照して説明する。
【００４３】
制御部１０は、発電装置１の起動時に、燃焼触媒ヒータ４４をオンさせる（ステップＳ１０１）。
【００４４】
制御部１０は、燃焼触媒４２付近の温度が第１の所定温度以上である状態が所定時間継続したかを判定する（ステップＳ１０２）。
【００４５】
燃焼触媒４２付近の温度が第１の所定温度以上である状態が所定時間継続していない場合（ステップＳ１０２のＮｏ）、制御部１０は、ステップＳ１０２の処理を繰り返す。
【００４６】
燃焼触媒４２付近の温度が第１の所定温度以上である状態が所定時間継続した場合（ステップＳ１０２のＹｅｓ）、制御部１０は、燃焼触媒ヒータ４４をオフさせる（ステップＳ１０３）。
【００４７】
このように、制御部１０は、発電装置１の起動時に燃焼触媒ヒータ４４をオンさせ、燃焼触媒４２付近の温度が第１の所定温度以上である状態が所定時間継続すると、燃焼触媒ヒータ４４をオフさせる。これにより、セルスタック２４が着火し、セルスタック２４から高温の排気が燃焼触媒４２に確実に流入するようになってから、燃焼触媒ヒータ４４をオフすることができる。したがって、燃焼触媒４２は、発電装置１の起動時に、未燃ガスを確実に燃焼させることができる。このように、本実施形態によれば、発電装置１は、発電装置１の起動時において、燃焼触媒４２の温度を適切に制御することができる。
【００４８】
［制御装置を外部に有する構成］
本開示の実施形態は、図１に示す発電装置１の制御部１０及び記憶部１２に相当する機能ブロックを、発電装置１の外部に有する構成として実現することもできる。このような実施形態の一例を図４に示す。図４に示す例においては、発電装置１を外部から制御する制御装置２は、制御部１０と、記憶部１２とを備える。図４に示す制御装置２の制御部１０及び記憶部１２の機能は、図１に示す発電装置１の制御部１０及び記憶部１２の機能とそれぞれ同等である。
【００４９】
また、本開示の実施形態は、例えば、図４に示す制御装置２に実行させる制御プログラムとして実現することもできる。
【００５０】
本発明を諸図面及び実施例に基づき説明してきたが、当業者であれば本開示に基づき種々の変形及び修正を行うことが容易であることに注意されたい。したがって、これらの変形及び修正は本発明の範囲に含まれることに留意されたい。例えば、各機能部、各手段、各ステップなどに含まれる機能などは論理的に矛盾しないように再配置可能であり、複数の機能部及びステップなどを１つに組み合わせたり、或いは分割したりすることが可能である。また、上述した本発明の各実施形態は、それぞれ説明した各実施形態に忠実に実施することに限定されるものではなく、適宜、各特徴を組み合わせたり、一部を省略したりして実施することもできる。
【００５１】
以上の開示においては、本実施形態として、ＳＯＦＣとするセルスタック２４を備える発電装置１について説明した。しかしながら、上述したように、本実施形態に係る発電装置１は、ＳＯＦＣを備えるものに限定されず、例えばモジュールのないＰＥＦＣなど、各種の燃料電池を備えるものとすることができる。本開示において「燃料電池」とは、例えば発電システム、発電ユニット、燃料電池モジュール、ホットモジュール、セルスタック、又はセルなどを意味する。また、本開示における「燃料電池」は、燃料電池車に搭載される燃料電池であってもよい。
【符号の説明】
【００５２】
１  発電装置
２  制御装置
１０  制御部
１２  記憶部
２０  燃料電池モジュール
２２  改質器
２４  セルスタック
２６  着火ヒータ
３２  ガス供給部
３４  改質水供給部
３６  空気供給部
４０  インバータ
４２  燃焼触媒
４４  燃焼触媒ヒータ
５０  排熱回収処理部
５２  循環水処理部
６０  貯湯タンク
７０  温度センサ
１００  負荷
２００  商用電源
【図１】
2019009069.tif 000003
【図２】
2019009069.tif 000004
【図３】
2019009069.tif 000005
【図４】
2019009069.tif 000006